(57)【要約】【課題】構成の小型化及び簡略化が図れる制御機能付コネクタ装置を提供することである。【解決手段】この制御機能付コネクタ装置１は、負荷装置の凹部内への挿入に伴ってその中継端子１５の外面に露出された負荷接触端子部が負荷側の端子に当接することにより、負荷側と電気接続される。ハウジング１１内に収容される回路体１２と負荷側の端子とを電気接続する中継端子１５、及び外部配線２と回路体１２とを電気接続する中継端子は、ハウジング１１に設けた開口部を介して挿入されて装着される。回路体１２は略コ字形に屈曲された状態で回路体ケース１３により保持された状態で、ハウジング１１に収容される。外部配線２は配線保持部材１４によって保持された状態で、配線保持部材１４と一緒にハウジング１１に保持される。【選択図】図３
2005268009.tif 000002
【特許請求の範囲】
【請求項１】
外部配線と負荷とに接続された制御機能付コネクタ装置であって、
通信機能と前記負荷を駆動する機能とを有する回路体と、
前記回路体を収容するハウジングと、
前記回路体と前記負荷側の端子とを電気的に接続する第１中継端子と、
前記外部配線と前記回路体とを電気的に接続する第２中継端子と、
を備え、
前記ハウジングには、外側から挿入される前記第１中継端子を受け入れて保持する第１開口部が設けられ、
前記第１中継端子は、
前記回路体に弾接するバネ形状に形成された回路体接触端子部と、
前記ハウジングの外面に露出され、前記負荷側の前記端子と当接して電気接続される負荷接触端子部と、
を備えることを特徴とする制御機能付コネクタ装置。
【請求項２】
請求項１に記載の制御機能付コネクタ装置において、
前記負荷側には、前記制御機能付コネクタ装置が挿入されて保持されるコネクタ保持凹部が設けられ、
前記負荷側の前記端子は、前記コネクタ保持凹部内に設けられていることを特徴とする制御機能付コネクタ装置。
【請求項３】
請求項２に記載の制御機能付コネクタ装置において、
互いに電気接続される前記第１中継端子の負荷接触端子部及び前記負荷側の前記端子の端子部のいずれか一方は、接続される他方の端子部に弾接するバネ形状に形成されていることを特徴とする制御機能付コネクタ装置。
【請求項４】
外部配線と負荷とに接続された制御機能付コネクタ装置であって、
通信機能と前記負荷を駆動する機能とを有する回路体と、
前記回路体を収容するハウジングと、
前記回路体と前記負荷側の端子とを電気的に接続する第１中継端子と、
前記外部配線と前記回路体とを電気的に接続する第２中継端子と、
を備え、
前記回路体は、
所定の配線が設けられた基板と、
前記基板上に実装され、前記通信機能及び前記負荷を駆動する機能を担う電子素子と、
を備え、
前記回路体は、前記基板が側面視略コ字形に屈曲された状態で回路体ケースに収容されて保持され、
前記ハウジングには、前記回路体を収容した前記回路体ケースの挿入を受け入れて保持する回路体保持凹部が設けられることを特徴とする制御機能付コネクタ装置。
【請求項５】
外部配線と負荷とに接続された制御機能付コネクタ装置であって、
通信機能と前記負荷を駆動する機能とを有する回路体と、
前記回路体を収容するハウジングと、
前記回路体と前記負荷側の端子とを電気的に接続する第１中継端子と、
前記外部配線と前記回路体とを電気的に接続する第２中継端子と、
を備え、
前記回路体は、
立体的な形状を有し、所定の配線が設けられた基台部材と、
前記基台部材上に実装され、前記通信機能及び前記負荷を駆動する機能を担う電子素子と、
を備え、
前記ハウジングには、前記回路体の挿入を受け入れて保持する回路体保持凹部が設けられることを特徴とする制御機能付コネクタ装置。
【請求項６】
請求項４又は５に記載の制御機能付コネクタ装置において、
前記電子素子はチップ状の電子素子であることを特徴とする制御機能付コネクタ装置。
【請求項７】
請求項１ないし６のいずれかに記載の制御機能付コネクタ装置において、
前記ハウジングには、外側から挿入される前記第２中継端子を受け入れて保持する第２開口部が設けられ、
前記第２中継端子は、前記第２開口部に挿入されて保持された状態で、前記外部配線と前記回路体とに電気的に接続されることを特徴とする制御機能付コネクタ装置。
【請求項８】
請求項１ないし７のいずれかに記載の制御機能付コネクタ装置において、
前記第２中継端子は、前記回路体に弾接するバネ形状に形成された回路体接触端子部を備えることを特徴とする制御機能付コネクタ装置。
【発明の詳細な説明】
【技術分野】
【０００１】
本発明は、負荷制御や通信制御等の制御機能を組込んだ制御機能付コネクタ装置及びそれに関連する技術に関する。
【背景技術】
【０００２】
車両等における各種負荷に接続されるコネクタとして、負荷制御回路及び通信制御回路を内蔵し、電子制御装置からの制御指令を、通信ラインを介して受取り、この制御指令に基づいてモータ等の負荷制御を行うものが知られている。
【０００３】
従来、このような制御機能付コネクタ装置が接続される負荷装置としては、モータ等の負荷を、所定の取付機構を有するハウジング内に組込むと共に、このハウジングに前記負荷と接続された受け側のコネクタを形成したものがある。この負荷装置では、上記制御機能付コネクタ装置を受け側のコネクタに接続することで、制御機能付コネクタ装置と負荷との接続がなされると共に、上記ハウジングの取付機構を介して負荷装置が所定の取付対象部材に取付けられる。制御機能付コネクタ装置と負荷装置との間の電気接続は雌雄嵌合する１対の端子により行われるようになっている。また、その雌雄１対の両端子のうちのコネクタ装置側の端子とコネクタ装置内の回路体との電気接続は、配線材や半田接続等の複雑な接続構造となっている。
【０００４】
上述のような制御機能付コネクタ装置及び負荷装置は、例えば特許文献１に開示されている。
【０００５】
【特許文献１】特開２００３−１３４７２０号公報
【発明の開示】
【発明が解決しようとする課題】
【０００６】
しかしながら、上記コネクタ装置では、制御機能付コネクタ装置と負荷装置との電気接続を雌雄嵌合する１対の端子により行うため、嵌合の際に端子に加わる応力対策を施す必要があり、コネクタ装置側及び負荷側の端子の取付構造等が大型化及び複雑化する傾向にあり、これによってコネクタ装置等の構成の大型化及び複雑化が生じている。
【０００７】
そこで、本発明の解決すべき課題は、構成の小型化及び簡略化が図れる制御機能付コネクタ装置を提供することである。
【課題を解決するための手段】
【０００８】
上記の課題を解決するため、請求項１の発明では、外部配線と負荷とに接続された制御機能付コネクタ装置であって、通信機能と前記負荷を駆動する機能とを有する回路体と、前記回路体を収容するハウジングと、前記回路体と前記負荷側の端子とを電気的に接続する第１中継端子と、前記外部配線と前記回路体とを電気的に接続する第２中継端子とを備え、前記ハウジングには、外側から挿入される前記第１中継端子を受け入れて保持する第１開口部が設けられ、前記第１中継端子は、前記回路体に弾接するバネ形状に形成された回路体接触端子部と、前記ハウジングの外面に露出され、前記負荷側の前記端子と当接して電気接続される負荷接触端子部とを備える。
【０００９】
また、請求項２の発明では、請求項１の発明に係る制御機能付コネクタ装置において、前記負荷側には、前記制御機能付コネクタ装置が挿入されて保持されるコネクタ保持凹部が設けられ、前記負荷側の前記端子は、前記コネクタ保持凹部内に設けられている。
【００１０】
また、請求項３の発明では、請求項２の発明に係る制御機能付コネクタ装置において、互いに電気接続される前記第１中継端子の負荷接触端子部及び前記負荷側の前記端子の端子部のいずれか一方は、接続される他方の端子部に弾接するバネ形状に形成されている。
【００１１】
また、請求項４の発明では、外部配線と負荷とに接続された制御機能付コネクタ装置であって、通信機能と前記負荷を駆動する機能とを有する回路体と、前記回路体を収容するハウジングと、前記回路体と前記負荷側の端子とを電気的に接続する第１中継端子と、前記外部配線と前記回路体とを電気的に接続する第２中継端子とを備え、前記回路体は、所定の配線が設けられた基板と、前記基板上に実装され、前記通信機能及び前記負荷を駆動する機能を担う電子素子とを備え、前記回路体は、前記基板が側面視略コ字形に屈曲された状態で回路体ケースに収容されて保持され、前記ハウジングには、前記回路体を収容した前記回路体ケースの挿入を受け入れて保持する回路体保持凹部が設けられる。
【００１２】
また、請求項５の発明では、外部配線と負荷とに接続された制御機能付コネクタ装置であって、通信機能と前記負荷を駆動する機能とを有する回路体と、前記回路体を収容するハウジングと、前記回路体と前記負荷側の端子とを電気的に接続する第１中継端子と、前記外部配線と前記回路体とを電気的に接続する第２中継端子とを備え、前記回路体は、立体的な形状を有し、所定の配線が設けられた基台部材と、前記基台部材上に実装され、前記通信機能及び前記負荷を駆動する機能を担う電子素子とを備え、前記ハウジングには、前記回路体の挿入を受け入れて保持する回路体保持凹部が設けられる。
【００１３】
また、請求項６の発明では、請求項４又は５の発明に係る制御機能付コネクタ装置において、前記電子素子はチップ状の電子素子である。
【００１４】
また、請求項７の発明では、請求項１ないし６のいずれかの発明に係る制御機能付コネクタ装置において、前記ハウジングには、外側から挿入される前記第２中継端子を受け入れて保持する第２開口部が設けられ、前記第２中継端子は、前記第２開口部に挿入されて保持された状態で、前記外部配線と前記回路体とに電気的に接続される。
【００１５】
また、請求項８の発明では、請求項１ないし７のいずれかの発明に係る制御機能付コネクタ装置において、前記第２中継端子は、前記回路体に弾接するバネ形状に形成された回路体接触端子部を備える。
【発明の効果】
【００１６】
請求項１に記載の発明によれば、ハウジングの外面に露出させた第１中継端子の負荷接触端子部を負荷側の端子に当接させて電気接続させる構成であるため、第１中継端子のハウジング等への取付構造等を容易に小型化及び簡略化することができ、その結果、制御機能付コネクタ装置の構成も小型化及び簡略化できる。また、これに伴って、第１中継端子と電気接続される負荷側の端子の取付構造等も小型化及び簡略化することができる。
【００１７】
また、ハウジングに設けた第１開口部に第１中継端子を外側から挿入して取り付ける構成であるため、この点によってもコネクタ装置の構成及び組立工程の簡略化が図れる。
【００１８】
また、第１中継端子に設けられたバネ形状の回路体接触端子部が回路体に弾接されるため、第１中継端子と回路体との電気接続を簡易な構成により確実に行うことができる。
【００１９】
請求項２に記載の発明によれば、制御機能付コネクタ装置を負荷側のコネクタ保持凹部内に挿入するのに伴って、コネクタ装置と負荷側の端子との電気接続を行うことができる。
【００２０】
また、例えば、コネクタ保持凹部の深さをコネクタ装置の寸法に合わせておくことにより、コネクタ装置をコネクタ保持凹部内にぴったりと収容することができ、コネクタ装置の接続部の構成をすっきりとした構成とすることができる。
【００２１】
請求項３に記載の発明によれば、第１中継端子の負荷接触端子部及び負荷側の端子の端子部のいずれか一方が、バネ形状に形成されて他方の端子部に弾接するため、コネクタ装置と負荷との電気接続を簡易な構成により確実に行うことができる。
【００２２】
請求項４に記載の発明によれば、回路体を構成する基板が側面視略コ字形に屈曲された状態でハウジング内に収容されるため、回路体の設置スペースを削減でき、コネクタ装置の構成を小型化することができる。
【００２３】
また、回路体が側面視略コ字形に屈曲された状態で回路体ケースに収容されて保持された状態で、回路体ケースごとハウジングの回路体保持凹部に挿入されて保持される構成であるため、回路体をコ字形に屈曲させてハウジングに装着するという煩雑になりやすい作業を、簡易な構成を維持しながら容易に行うことができる構成と得ることができる。
【００２４】
請求項５に記載の発明によれば、回路体が、立体的な形状を有する基台部材に電子素子が実装されて構成されるため、ハウジングの回路体保持凹部に嵌まり込む形状の回路体を容易に構成することができるとともに、回路体の設置スペースを削減でき、コネクタ装置の構成を小型化することができる。
【００２５】
請求項６に記載の発明によれば、回路体に実装される電子素子がチップ状のものであるため、この点によってもコネクタ装置の小型化が図れる。
【００２６】
請求項７に記載の発明によれば、ハウジングに設けた第２開口部に第２中継端子を外側から挿入して取り付ける構成であるため、この点によってもコネクタ装置の構成及び組立工程の簡略化が図れる。
【００２７】
請求項８に記載の発明によれば、第２中継端子のバネ形状を有する回路体接触端子部によって、第２中継端子と回路体との間の電気接続を簡易な構成により確実に行うことができる。
【発明を実施するための最良の形態】
【００２８】
図１は本発明の一実施形態に係る制御機能付コネクタ装置（以下、単に「コネクタ装置」という）が負荷装置に接続された状態を示す斜視図であり、図２及び図３はそのコネクタ装置の斜視図及び分解斜視図である。
【００２９】
このコネクタ装置１は、図１に示すように、外部配線２と負荷装置（負荷）３とに接続され、通信機能と負荷装置３を駆動する機能とを有している。負荷装置３には、挿入されたコネクタ装置１を受け入れて保持するコネクタ保持凹部４（図１７参照）が設けられており、コネクタ装置１がこのコネクタ保持凹部４内に挿入、保持されて負荷装置３と電気接続されるようになっている。ここで、負荷装置３としては、例えば車載エアコンにおけるインストゥルメントパネル等に設置される各種作動部（例えば、吹出し部の風向き制御部）の駆動用のサーボモータ装置などが考えられる。
【００３０】
コネクタ装置１は、図２及び図３に示すように、ハウジング１１と、回路体１２と、回路体ケース１３と、配線保持部材１４と、複数の第１中継端子１５と、複数の第２中継端子１６（なお、中継端子１６は図２及び図３には現れていない）とを備えて構成されている。
【００３１】
ハウジング１１は、図４〜図１１に示すように、略直方体形の外形形状を有する樹脂成形部材である。このハウジング１１には、回路体保持凹部２１、配線保持凹部２２、第１中継端子１５のための複数（ここでは５つ）の第１開口部２３、及び第２中継端子１６のための複数（ここでは３つ）の第２開口部２４が設けられている。
【００３２】
回路体保持凹部２１及び配線保持凹部２２は、それぞれ、このコネクタ装置１がコネクタ保持凹部４内に挿入される際の挿入方向Ｃ（図２参照）上流側端面に開口し、挿入された回路体ケース１３及び配線保持部材１４を受け入れて保持する。回路体保持凹部２１は、大略的に２つの部分２１ａ，２１ｂに分割されている。
【００３３】
第１開口部２３及び第２開口部２４は、それぞれ、挿入方向Ｃ下流側端面に開口する略縦長スリット状の開口形状（第２開口部２４の方は、中間部でステップ状に屈曲した縦長スリット状の開口形状となっている）を有し、挿入された第１中継端子１５及び第２中継端子１６を受け入れて保持する。
【００３４】
第１中継端子１５は、回路体１２と負荷装置２側の端子５１（図１７参照）とを電気接続するためのものであり、複数（ここでは５つ）備えられており、金属板を打ち抜いて図４及び図９に示すような形態に形成されている。第１中継端子１５は、回路体接続部１５ａと負荷接触端子部１５ｂとを備える。第２中継端子１６は、外部配線２と回路体１２とを電気接続するためのものであり、複数（ここでは３つ）備えられており、金属板を打ち抜いて略ステップ状に屈曲されて、図４、図１０及び図１１に示すようなな形態に形成されている。そして、このような第１中継端子１５及び第２中継端子１６は、ハウジング１１の対応する第１開口部２３及び第２開口部２４に挿入方向Ｃ下流側から挿入されて保持される。
【００３５】
さらに詳細に、第１中継端子１５は、回路体接続部１５ａと負荷接触端子部１５ｂとを備える。回路体接続部１５ａは上下に二股に分かれており、回路体１２等を上下から挟み込むようにして保持しつつ回路体１２と電気接続される。この回路体接続部１５ａには、回路体１２の後述する所定の接続部１２ｃに上側から弾接するバネ形状に形成された回路体接触端子部１５ｃが設けられている。負荷接触端子部１５ｂは、第１中継端子１５が第１開口部２３内に保持された状態で、ハウジング１１の上面側に挿入方向Ｃに沿って線状に露出され、コネクタ装置１の負荷装置３への装着作業に伴って後述する端子５１と当接されて電気接続される。ハウジング１１の上面側には、この負荷接触端子部１５ｂが嵌まり込む溝２５が挿入方向Ｃに沿って設けられている。
【００３６】
第２中継端子１６は、回路体接続部１６ａと配線接続部１６ｂとを備える。回路体接続部１６ａは上下に二股に分かれており、回路体１２等を上下から挟み込むようにして保持しつつ回路体１２と電気接続される。この回路体接続部１６ａには、回路体１２の後述する所定の接続部１２ｄに上側から弾接するバネ形状に形成された回路体接触端子部１６ｃが設けられている。また、ほぼ同様に、配線接続部１６ｂは、配線保持部材１４等によって保持された外部配線２等を上下から挟み込むようにして保持しつつ外部配線２と電気接続される。配線接続部１６ｂには、外部配線２の後述する所定の接続部２ａに上側から弾接するバネ形状に形成された配線接触端子部１６ｄが設けられている。
【００３７】
また、ハウジング１１の挿入方向Ｃに沿った左右の一方の側面には、挿入方向Ｃに沿って延設されたガイド溝２６が設けられ、このガイド溝２６が負荷装置２のコネクタ保持凹部４内に設けられる図示しない凸条部と係合してガイド等の役割を担い、これによってコネクタ装置１の挿入がスムーズに行われる。
【００３８】
さらに、ハウジング１１の左右の側面には、ロック用の係合凸部２７が設けられ、この係合凸部２７が負荷装置２のコネクタ保持凹部４内に設けられた図示しない係合部（例えば、係合凹部等）とコネクタ装置１の挿入作業（挿入完了）に伴って係合し、これによってコネクタ装置１がコネクタ保持凹部４内で係止される。
【００３９】
次に、回路体１２及び回路体ケース１３について説明する。回路体１２は、図１２に示すように、フレキシブルプリント配線基板（以下、「ＦＰＣ」という）１２ａと、ＦＰＣ１２ａ上に実装され、通信機能及び負荷装置３を駆動する機能を担うチップ状（例えば、ベアチップ状）の電子素子１２ｂとを備えている。ＦＰＣ１２ａには、負荷装置３との電気接続のための複数（ここでは５つ）の接続部１２ｃと、外部配線２との電気接続のための複数（ここでは３つ）の接続部１２ｄとが設けられている。接続部１２ｃ，１２ｄは、例えば、ＦＰＣ１２ａ表面に形成されたランドや、或いは、樹脂被覆の一部が剥ぎ取られて露出された内部導体の露出部等によって構成される。このような回路体１２は、そのＦＰＣ１２ａが図１２の２つの仮想線Ｄ１，Ｄ２のとろこで側面視略コ字形に屈曲された状態で回路体ケース１３に装着される。
【００４０】
回路体ケース１３は、図１３に示すように、樹脂等によって形成されるケース本体３１及びカバー３２を備えて構成されている。ケース本体３１は、略コ字形に屈曲された回路体１２の下側に位置する下辺部１２Ａ（接続部１２ｃ，１２ｄが位置する部分）を保持する基台部３１ａと、その回路体１２の上側に位置する上辺部１２Ｂ（電子素子１２ｂが位置する部分）を収容して保持する保持部３１ｂとを備えている。保持部３１ｂは、挿入方向Ｃ上流側に開口する収容凹部３１ｃを有し、この収容凹部３１ｃによって回路体１２の上辺部１２Ｂを収容して保持する。そして、回路体１２は、略コ字形に屈曲された状態で挿入方向Ｃ上流側からケース本体３１に装着されて収容され、屈曲形状が保持される。回路体１２がケース本体３１に装着されると、その上からカバー３２が装着され、これによって回路体１２の外れ止めが図られる。ケース本体３１及びカバー３２には、外れ止めのための互いに係合する係合部３１ｄ，３２ａが設けられている。
【００４１】
このように回路体ケース１３に収容された回路体１２は、図１４に示すように、ハウジング１１の回路体保持凹部２１内に挿入方向Ｃ上流側から挿入されて保持される。このとき、回路体１２の下辺部１２Ａ及び回路体ケース１３の基台部３１ａの部分が、回路体保持凹部２１の下側の部分２１ｂに挿入され、回路体１２の上辺部１２Ｂ及び回路体ケース１３の保持部３１ｂの部分が、回路体保持凹部２１の上側の部分２１ａに挿入される。
【００４２】
この回路体１２等のハウジング１１への装着に伴い、先にハウジング１１に装着されている第１及び第２中継端子１５，１６の二股構造の回路体接続部１５ａ，１６ａの間に、回路体１２の下辺部１２Ａ及び回路体ケース１３の基台部３１ａが押し込まれ、両中継端子１５，１６の回路体接触端子部１５ｃ，１６ｃが回路体１２の対応する接続部１２ｃ，１２ｄに上側から弾接する。
【００４３】
回路体ケース１３のケース本体３１には、抜け止めのための複数の係合部３１ｄ，３１ｅが設けられており、回路体１２及び回路体ケース１３の挿入作業（挿入完了）に伴ってこの係合部３１ｄ，３１ｅがハウジング１１内に設けられた図示しない係合部と係合することにより、回路体１２及び回路体ケース１３が回路体保持凹部２１内に抜け止め固定される。
【００４４】
次に、外部配線２及び配線保持部材１４について説明する。外部配線２としては、例えば図１５に示すフラットケーブル（例えば、フルフラットケーブル）が用いられる。外部配線２には、複数の芯線（導体部）が備えられている。例えば、芯線には電源用、グランド用、通信用の３つが設けられる。なお、本実施形態では、外部配線２としてフラットケーブルを用いているが、ディスクリート線を用いてもよい。
【００４５】
配線保持部材１４は、図１５に示すように、樹脂で形成されたリテーナ４１及びカバー４２を備えて構成され、外部配線２の所定箇所に装着されて外部配線２を保持する。リテーナ４１は、挿入方向Ｃに対して略垂直な方向に沿って延設された基台部４１ａと、その基台部４１ａから挿入方向Ｃ下流側に向けて突設された張り出し部４１ｂとを備えて構成されている。カバー４２は、リテーナ４１の張り出し部４１ｂ等が挿入される貫通孔４２ａを有しており、後述するようにリテーナ４１との間で外部配線２を挟み込んだ状態で張り出し部４１ｂに外嵌されて装着される。
【００４６】
外部配線２には、図１５及び図１６に示すように、挿入方向Ｃ下流側に向けて張り出すように側面視略凸形に屈曲した屈曲部２Ａが形成され、その屈曲部２Ａに配線保持部材１４が装着される。すなわち、その屈曲部２Ａにおける配線保持部材１４が装着された際に張り出し部４１ｂの上面側に位置する部分において、その外被が部分的に剥ぎ取られて内部の芯線（導体部）が露出され、その露出された各芯線の部分によって接続部２ａが構成されている。そして、このような屈曲部２Ａに対して、基台部４１及び張り出し部４１ａが屈曲部２Ａの略凸形形状に沿うように挿入方向Ｃ上流側からリテーナ４１が装着された状態で、リテーナ４１とカバー４２との間に外部配線２が挟み込まれるようにして、カバー４２がリテーナ４１の張り出し部４１ｂに外嵌されて装着される。リテーナ４１とカバー４２との固定は、例えば、カバー４２の貫通孔４２ａ内に張り出し部４１ｂ及び外部配線２を圧入して得られる静止摩擦力（圧入固定）によって行われる。なお、変形例として、リテーナ４１及びカバー４２に抜け止め用の互いに係合する係合部を設けるようにしてもよい。
【００４７】
配線保持部材１４が装着された外部配線２の屈曲部２Ａは、図１６に示すように、ハウジング１１の配線保持凹部２２内に配線保持部材１４と共に挿入方向Ｃ上流側から挿入されて保持される。この外部配線２等のハウジング１１への装着に伴い、先にハウジング１１に装着されている第２中継端子１６の二股構造の配線接続部１６ｂの間に、屈曲部２Ａ及びリテーナ４１の張り出し部４１ｂが押し込まれ、中継端子１６の配線接触端子部１６ｄが外部配線２の対応する接続部２ａに上側から弾接する。
【００４８】
配線保持部材１４のリテーナ４１（張り出し部４１ｂ）には、抜け止めのための係合部４１ｃが設けられており、外部配線２及び配線保持部材１４の挿入作業（挿入完了）に伴ってこの係合部４１ｃがハウジング１１内に設けられた図示しない係合部と係合することにより、外部配線２及び配線保持部材１４が配線保持凹部２２内に抜け止め固定される。
【００４９】
なお、本実施形態に係る構成の変形例として、外部配線２にディスクリート線が用いられた場合には、それに応じて配線保持部材１４及び第２中継端子１６の構成が変更される。この場合、例えば、第２中継端子１６としては、配線接続部１６ｂが弾接構造の代わりに圧接構造となっているものが採用され、その圧接構造の配線接続部１６ｂにより外部配線２の外被が切り裂かれて配線接続部１６ｂが外部配線２の芯線と電気接続（圧接）される。また、この場合における配線保持部材１４としては、ディスクリート線を保持可能な構成が採用される。すなわち、本実施形態に係るコネクタ装置１の利点の一つとして、外部配線２に使用する電線種別の変更に対して、第２中継端子１６及び配線保持部材１４の変更のみで対応することができ、対応の自由度が高いという点が挙げられる。
【００５０】
次に、負荷装置３側の構成について説明する。負荷装置３には、図１７に示すように、挿入されたコネクタ装置１を受け入れて保持するコネクタ保持凹部４が設けられている。コネクタ保持凹部４内には、コネクタ装置１の第１中継端子１５と当接して電気接続される複数（ここでは、５つ）の端子５１が設けられている。端子５１は、コネクタ装置１と電気接続されるコネクタ接続部５１ａと、負荷装置３内の回路に接続される図示しない接続部とを有している。コネクタ接続部５１ａは、コネクタ装置１を上下から挟み込む二股構造を有し、その二股に分かれた上側の部分がコネクタ接触端子部５１ｂとなっている。このコネクタ接触端子部５１ｂは、第１中継端子１５の負荷接触端子部１５ｂに上側から弾接するバネ形状に形成されている。
【００５１】
そして、コネクタ装置１がコネクタ保持凹部４内に挿入されると、その装着動作に伴い、コネクタ保持凹部４内に設けられている端子５１の二股構造のコネクタ接続部５１ａの間にコネクタ装置１が押し込まれ、端子５１のコネクタ接触端子部５１ｂが第１中継端子１５の負荷接触端子部１５ｂに上側から弾接し、これによってコネクタ装置１と負荷装置３とが電気接続される。また、このコネクタ装置１の挿入作業（挿入完了）に伴って、コネクタ装置１のハウジング１１に設けられた係合凸部２７が負荷装置３側の図示しない係合部と係合し、これにってコネクタ装置１がコネクタ保持凹部４内で係止される。
【００５２】
ここで、コネクタ保持凹部４の挿入方向Ｃに対する深さは、コネクタ装置１の寸法に適応されており、これによって、コネクタ装置１がコネクタ保持凹部４内にぴったりと嵌まり込み、コネクタ装置１の嵌まり込んだ負荷装置３の外面部分が平坦になるようになっている。
【００５３】
以上のように、本実施形態に係るコネクタ装置１によれば、ハウジング１１の外面に露出させた第１中継端子１５の負荷接触端子部１５ｂを負荷装置３の端子５１に当接させて電気接続させる構成であるため、第１中継端子１５のハウジング１１等への取付構造等を容易に小型化及び簡略化することができ、その結果、コネクタ装置１の構成も小型化及び簡略化できる。また、これに伴って、第１中継端子１５と電気接続される負荷装置３側の端子５１の取付構造等も小型化及び簡略化することができる。このような及び後述する小型化に対する有利性により、本実施形態に係るコネクタ装置１では、幅Ｗ、高さＨ及び奥行きＤ（図２参照）を例えば１０ｍｍ、７ｍｍ及び１１．３ｍｍに設定することができる。
【００５４】
また、ハウジング１１に設けた第１及び第２開口部２３，２４に第１及び第２中継端子１５，１６を外側から挿入して取り付ける構成であるため、この点によってもコネクタ装置１の構成及び組立工程の簡略化が図れる。
【００５５】
また、第１及び第２中継端子１５，１６に設けられたバネ形状の接触端子部１５ｃ，１６ｃ，１６ｄが回路体１２の接続部１２ｃ，１２ｄ及び外部配線３の接続部２ａにそれぞれ弾接されるため、第１及び第２中継端子１５，１６と回路体１２及び外部配線２との電気接続を簡易な構成により確実に行うことができる。
【００５６】
また、外部配線２の種類変更（フラットケーブルか、ディスクリート線か等）に対しても、第２中継端子１６及び配線保持部材１４等の交換により容易に対応することができ、対応の自由度が高いコネクタ装置１を提供できる。
【００５７】
また、コネクタ装置１を負荷装置３のコネクタ保持凹部４内に挿入するのに伴って、コネクタ装置１と負荷装置３の端子５１との電気接続を行うことができる。
【００５８】
また、コネクタ保持凹部４の深さがコネクタ装置１の寸法に適応されているため、コネクタ装置１をコネクタ保持凹部４内にぴったりと収容することができ、コネクタ装置１の接続部の構成をすっきりとした構成とすることができる。
【００５９】
また、負荷装置３の端子５１に設けられたバネ形状のコネクタ接触端子部５１ｂがコネクタ装置１の第１中継端子１５に弾接されるため、コネクタ装置１と負荷装置３との電気接続を簡易な構成により確実に行うことができる。
【００６０】
また、回路体１２が略コ字形に屈曲された状態でハウジング１１内に収容されるため、回路体１２の設置スペースを削減でき、コネクタ装置１の構成を小型化することができる。
【００６１】
また、回路体１２が略コ字形に屈曲された状態で回路体ケース１３に収容されて保持された状態で、回路体ケース１３ごとハウジング１１の回路体保持凹部２１に挿入されて保持される構成であるため、回路体１２をコ字形に屈曲させてハウジング１１に装着するという煩雑になりやすい作業を、簡易な構成を維持しながら容易に行うことができる構成と得ることができる。
【００６２】
また、回路体１２に実装される電子素子１２ｂがチップ状のものであるため、この点によってもコネクタ装置１の小型化が図れる。
【００６３】
ここで、図４及び図１７等に示す第１中継端子１５及び負荷装置３の端子５１の変形例として、図１８及び図１９に示すように、バネ形状の負荷接触端子部１５ｄを端子５１側でなく、第１中継端子１５側に設けるようにしてもよい。この場合、バネ形状の負荷接触端子部１５ｄは、第１中継端子１５がハウジング１１に装着された状態でハウジング１１の上面に露出する部分に設けられており、コネクタ装置１のコネクタ保持凹部４内への挿入作業に伴って、端子５１の部分（コネクタ接続部５１ａ）に下側から弾接するようになっている。また、図１８に示すように、ハウジング１１の上面における各第１中継端子１５の負荷接触端子部１５ｄが位置する部分の両側に、負荷接触端子部１５を保護する筋状の保護凸部６１を設けてもよい。このように、第１中継端子１５側にバネ形状の端子部１５ｄを設けた方が、接続の信頼性の確保が容易である。
【００６４】
また、図３及び図１２等に示す回路体１２及び回路体ケース１３の変形例として、図２０及び図２１に示す構成が採用可能である。この変形例に係る構成では、回路体ケース１３が省略され、回路体１２がＭＩＤ（Molded Interconnect Device）を用いて構成されている。
【００６５】
すなわち、この変形例では、回路体１２は、所定の立体形状を有し、回路配線及び端子（又は接続電極）がその表面又は内部に形成された樹脂成形品の基台部材６２と、基台部材６２に実装された電子素子１２ｂとを備えて構成されている。基台部材６２は、図２１に示すように、側面視略Ｌ字形状を有する本体部６３、及び電子素子１２ｂが実装される側面視略コ字形状の素子実装部６４の部分から構成されている。電子素子１２ｂは素子実装部６４の略コ字の凹み部に実装され、ワイヤボンディング等により素子実装部６４の端子部と電気接続される。素子実装部６４は、本体部６３の縦方向に延びる部分（挿入方向Ｃに対して垂直方向に延びる部分）に装着されるようになっており、素子実装部６４及び本体部６３の当接部には、互いに電気接続される複数の端子部（電極部）６３ａ，６４ａが設けられる。この端子部６３ａ，６４ａは半田付け（例えば、リフロー半田付け）などにより電気接続され、この接続によって素子実装部６４と本体部６３との機械的固定も行われるようになっている。本体部６３の横方向に延びる部分（挿入方向Ｃに延びる部分）には、中継端子１５，１６との接続のための接続部１２ｃ，１２ｄが設けられている。
【００６６】
この変形例に係る回路体１２のハウジング１１への装着は、図３に示す回路体１２及び回路体ケース１３の装着の場合とほぼ同様であり、回路体１２を回路体保持凹部２１内に挿入することによって行われる。すなわち、回路体１２の素子実装部６４の部分が回路体保持凹部２１の上側の部分２１ａに挿入され、回路体１２の横方向に延びる部分が回路体保持棒部２１の下側の部分２１ｂに挿入される。
【００６７】
このように、この図２０及び図２１に示す変形例では、回路体１２がＭＩＤを用いて構成されるため、ハウジング１１の回路体保持凹部２１に嵌まり込む形状の回路体１２を容易に構成することができるとともに、回路体１２の設置スペースを削減でき、コネクタ装置１の構成を小型化することができる。また、回路体ケース１３等の省略により部品点数の削減も図れる。
【００６８】
また、負荷装置３にコネクタ保持凹部４を設ける形態としては、種々の形態が考えられ、図１に示す形態の他に例えば図２２に示す形態等が考えられる。
【図面の簡単な説明】
【００６９】
【図１】本発明の一実施形態に係る制御機能付コネクタ装置が負荷装置に接続された状態を示す斜視図である。
【図２】図１の制御機能付コネクタ装置の斜視図である。
【図３】図２の制御機能付コネクタ装置の分解斜視図である。
【図４】ハウジング及び中継端子の斜視図である。
【図５】中継端子が装着されたハウジングの上面図である。
【図６】中継端子が装着されたハウジングの図５の矢印Ａ１方向から見た図である。
【図７】中継端子が装着されたハウジングの図５の矢印Ａ２方向から見た図である。
【図８】中継端子が装着されたハウジングの図５の矢印Ａ３方向から見た図である。
【図９】図６及び図８のＢ１−Ｂ１線に沿った断面図である。
【図１０】図６及び図８のＢ２−Ｂ２線に沿った断面図である。
【図１１】図６及び図８のＢ３−Ｂ３線に沿った断面図である。
【図１２】展開された状態の回路体の斜視図である。
【図１３】回路体及び回路体ケースの分解斜視図である。
【図１４】回路体及び回路体ケースをハウジングに装着する際の説明図である。
【図１５】外部配線を保持する配線保持部材の構成を示す分解斜視図である。
【図１６】外部配線及び配線保持部材をハウジングに装着する際の説明図である。
【図１７】負荷装置側の接続部の構成を示す断面図である。
【図１８】第１中継端子及びその関連部分の変形例を示す斜視図である。
【図１９】第１中継端子及びその関連部分の変形例を示す斜視図である。
【図２０】回路体の変形例を示す斜視図である。
【図２１】図２０の変形例に係る回路体の分解斜視図である。
【図２２】図１の構成の変形例を示す斜視図である。
【符号の説明】
【００７０】
１  制御機能付コネクタ装置
２  外部配線
２ａ  接続部
３  負荷装置
４  コネクタ保持凹部
１１  ハウジング
１２  回路体
１２ａ  ＦＰＣ
１２ｂ  電子素子
１２ｃ，１２ｄ  接続部
１３  回路体ケース
１４  配線保持部材
１５  第１中継端子
１５ｂ  負荷接触端子部
１５ｃ  回路体接触端子部
１６  第２中継端子
１６ｃ  回路体接触端子部
１６ｄ  配線接触端子部
２１  回路体保持凹部
２２  配線保持凹部
２３  第１開口部
２４  第２開口部
３１  ケース本体
３２  カバー
４１  リテーナ
４２  カバー
５１  端子
５１ｂ  コネクタ接触端子部
【図１】
2005268009.tif 000003
【図２】
2005268009.tif 000004
【図３】
2005268009.tif 000005
【図４】
2005268009.tif 000006
【図５】
2005268009.tif 000007
【図６】
2005268009.tif 000008
【図７】
2005268009.tif 000009
【図８】
2005268009.tif 000010
【図９】
2005268009.tif 000011
【図１０】
2005268009.tif 000012
【図１１】
2005268009.tif 000013
【図１２】
2005268009.tif 000014
【図１３】
2005268009.tif 000015
【図１４】
2005268009.tif 000016
【図１５】
2005268009.tif 000017
【図１６】
2005268009.tif 000018
【図１７】
2005268009.tif 000019
【図１８】
2005268009.tif 000020
【図１９】
2005268009.tif 000021
【図２０】
2005268009.tif 000022
【図２１】
2005268009.tif 000023
【図２２】
2005268009.tif 000024